(57)【要約】      （修正有）【課題】手鏡を使用する際、手鏡を手首等に装着及び固定することで、手鏡を至近距離から覗きながら、手鏡を装着した手の５本の指が自由に使えるようにすることで、手鏡を持った状態で両手の１０本の指を自由に使えることを可能にする。【解決手段】手鏡本体３に、伸縮性のある筒状体の手首保持具１を装着し、１を手首に通したり巻いたり挟むことで、手鏡本体３を手首等に装着及び固定できるようにする。【選択図】図１
0003115721.tif 000002
【実用新案登録請求の範囲】
【請求項１】
ガラスやアクリルミラー等適宜素材で作った鏡面を、プラスチック等適宜素材で作った支持体に装着した、四角形や円形等適宜形状につくった手鏡本体３に、伸縮性のある筒状体の手首保持具、又はプラスチックや金属、布等適宜素材でつくったリング型や略リング型等適宜形状の帯状体等、又は面ファスナーを装着した布等適宜素材でつくった帯状体等、手首保持具１を装着し、１を手首に巻いたり通したり挟む等することで、手鏡本体３を手首等に装着及び固定できるようにした、手首等に固定できる手鏡。
【請求項２】
請求項１の手鏡本体３の支持体と、手首保持具１を、プラスチックや金属等適宜な同じ素材でつくり、３と１を一体化した、請求項１の手首等に固定できる手鏡。
【請求項３】
請求項１の手首保持具１を、薄いバネ鋼板等適宜素材を略リング状にした可撓板８、又は、バネ鋼板等の適宜素材で作り、摺動自在に重なり合う態様で巻かれている形状の可撓板８でつくり、バネの力で手首等を挟むことで装着及び固定できる、請求項１、請求項２の手首等に固定できる手鏡。
【請求項４】
請求項１の手首保持具１を、針金等適宜素材でつくり、折りたためるように分割した略リング１１に形成し、内側又は外側に折りたためるように、バネ式蝶番１３等で固定し、バネの力で手首等を挟むことで装着及び固定できる、請求項１、請求項２の手首等に固定できる手鏡。
【考案の詳細な説明】
【技術分野】
【０００１】  本考案は、手首等に固定できる手鏡である。つまり、手鏡に、伸縮性のある筒状体の手首保持具、又はリング型や略リング型等適宜形状の帯状体等、又は面ファスナーを装着した帯状体等、手首保持具１を装着することで、手首等に手鏡を装着でき、手鏡を装着した手首や腕等を動かすことで、鏡の位置を自由に移動させることができ、鏡を見ながら、両手の１０本の指を自由に使えることを可能にする手鏡である。
【背景技術】
【０００２】  手鏡を持って、アイメイクやリップラインを引く等の化粧や、コンタクトレンズを直す際等、従来の手鏡の場合は、手鏡を手で持つ為、手鏡以外のものを手鏡を持つ指を使って持つことは難しく、手鏡を持っていない手の指だけで、様々な作業を行わざるを得ず、不便だった。また、目の至近距離に手鏡を引き寄せながら、両手の指を使って化粧等をすることができず、不便だった。
【考案の開示】
【考案が解決しようとする課題】
【０００３】  手鏡を使用して、アイメイクをしたり、視力の弱い人がコンタクトレンズを直す場合に、手鏡を目の至近距離に引き寄せて、手鏡を覗きながら両手の指が自由に使える手鏡が必要だった。従って、手鏡に、手首等に装着する為の伸縮性のある筒状体の手首保持具、又はリング型や略リング型等適宜形状の帯状体等、又は面ファスナーを装着した帯状体等、手首保持具１を装着することにより、指が自由に使える状態で、手首等に手鏡を装着及び固定させることができ、前述の欠点を解決するものである。
【課題を解決するための手段】
【０００４】  本考案は、手鏡本体３に伸縮性のある筒状体の手首保持具、又はリング型や略リング型等適宜形状の帯状体等、又は面ファスナーを装着した帯状体等、手首保持具１を装着し、１を手首等に通したり巻いたり挟む等して固定することで、手鏡本体３を手首等に装着及び固定する。従って、手鏡を手に装着した状態で、１０本の指を自由に使うことを可能にし、手鏡を手首等に装着しているので、手や腕等を動かすだけで、装着している手鏡の位置を、目の至近距離等、自由な位置に移動することを可能にし、従来手鏡を持つと片手しか自由にならなかった欠点を解決している。
【考案の効果】
【０００５】  上述の様に、本考案の手首等に固定できる手鏡は、手鏡に、手鏡を手首に装着する為の伸縮性のある筒状体の手首保持具、又はリング型や略リング型等適宜形状の帯状体等、又は面ファスナーを装着した帯状体等、手首保持具１を装着することで、手鏡を持った状態で両手の全ての指を自由に使用できることを可能にする。又、手鏡を装着した手や腕等を動かすことで、目の至近距離等に、自由に手鏡の位置を移動することを可能にした。従って、目の至近距離にまで手鏡を近づけて、手鏡を覗きながら、両手の全ての指で様々な動作を行えることを可能にした。よって、目のメイクや、口紅のメイクや、視力の弱い人がコンタクトレンズの具合の確認や調節をたやすく行え、生活利便に役立つことができる。
【考案を実施するための最良の形態】
【０００６】  手鏡本体３は、ガラスやアクリルミラー等適宜素材で作った鏡面を、プラスチック等適宜素材で作った支持体に装着した、四角形や円形等適宜形状の手鏡である。手鏡本体３に伸縮性のある筒状体の手首保持具、又はリング型や略リング型等適宜形状の帯状体等、又は面ファスナーを装着した帯状体等、手首保持具１を装着し、１を手首等に通したり巻く等して固定することで、手鏡本体３を手首等に装着できるようにする。従って、１は、手首等に通したり、巻いたり、挟む等することで固定できるものである。尚、手首保持具１は、バネ鋼板等適宜素材を略リング状にした可撓板８や針金等適宜素材でつくった折りたたみ式の略リング１１等、適宜な形状の手首保持具で代用することが可能である。又、手鏡本体３に、蓋はなくてもよい。
【実施例】
【０００７】  以下、本考案を限定することを目的としない、本考案の実施例を図面に従い説明する。
実施例１  以下、添付図面１、２に従い実施例１を説明する。本実施例は、手首保持具１が、伸縮性のある筒状体の手首保持具の場合である。まず、手鏡本体３の背面に、伸縮性のある布等適宜素材で形成した筒状体の手首保持具１を装着し、１に手首を通すことで、手鏡本体３を手首等に装着できるようにする。【０００８】  伸縮性のある筒状体の手首保持具１は、手鏡本体３の背面で、ボタンのように複数の穴に糸を通して連結する為の複数の穴を装着した適宜素材でつくった板材等５を糸で手首保持具１に連結し、さらに５を両面テープ等で手鏡本体３に連結する等によって固定する。又は接着剤等で直接１と３を接着する。【０００９】  手鏡本体３の鏡面側には、蝶番７で固定した蓋６を装着して収納できるようにする。ただし、蓋６は必ずしも必要ではなく、蓋６の代わりに、不繊布等で作成したカバーに入れて収納することも可能である。【００１０】  実施例２  以下、添付図面３に従い実施例２を説明する。本実施例は、手首保持具１が、面ファスナーを装着した帯状体等の場合である。まず、手鏡本体３に面ファスナーを装着した帯状体等１を装着し、１を手首に巻いて止めることで、手鏡本体３を手首に装着できるようにする。【００１１】  面ファスナーを装着した帯状体等１は、手鏡本体３の背面で、ボタンのように複数の穴に糸を通して連結する為の複数の穴を装着した適宜素材でつくった板材等５を糸でベルトやバンド等１に連結し、さらに５を両面テープ等で手鏡本体３に連結する等によって固定する。又は接着剤等で直接１と３を接着する。【００１２】  実施例３  以下、添付図面４に従い実施例３を説明する。本実施例は、手首保持具１が、プラスチックや金属等適宜素材でつくった略リングの場合、又はバネ鋼板等適宜素材を略リング状にした可撓板８の場合である。前述の場合、実施例１の本手首等に固定できる手鏡の手首保持具１を、プラスチックや金属等適宜素材で略リング状に形成し、手鏡本体３に連結する。尚、１をプラスチックや金属等適宜素材で形成する場合で、手鏡本体３の支持体を同じ素材で形成する場合等は、１と３を一体化して形成することも可能である。【００１３】  後述の場合、手首保持具１を、薄いバネ鋼板等の適宜素材で作り、略リング状の可撓板８に形成し、手鏡本体３の背面に装着する（図４）。８は、バネの力で手首等を挟むことで固定でき、外側に布等を巻いて保護する。又、８はバネ鋼板等の適宜素材で作り、摺動自在に重なり合う態様で巻かれている形状の可撓板でもよい。【００１４】  実施例４  以下、添付図面５に従い実施例４を説明する。本実施例は、手首保持具１が、針金等適宜素材でつくった折りたたみ式の略リング型リング１１の場合である。実施例１の本手首等に固定できる手鏡の手首保持具１を、針金等適宜素材でつくり、折りたためるように分割した略リング１１に形成し、内側又は外側に折りたためるように、バネ式蝶番１３等で手鏡本体３の背面に固定し、バネの力で手首等を挟むことで装着及び固定できるようにする（図５）。【００１５】  本考案の一実施例は上述の如き構成からなるものであるから、手鏡を手首等に装着して使用する為、手鏡を装着した手の５本の指が自由に使え、手鏡を手に持って覗きながら、両手の指１０本が自由に使える手鏡を可能にした。
【図面の簡単な説明】
【００１６】
【図１】手首等に固定できる手鏡の実施例１の使用例の斜視図
【図２】手首等に固定できる手鏡の実施例１の斜視図
【図３】手首等に固定できる手鏡の実施例２の斜視図
【図４】手首等に固定できる手鏡の実施例３の斜視図
【図５】手首等に固定できる手鏡の実施例４の斜視図
【符号の説明】
【００１７】  １  手首保持具
３  手鏡本体
５  １を固定する為の複数の穴を装着した板材等
６  蓋
７  蝶番
８  略リング状の可撓板等
１１  折りたたみ式の略リング
１３  バネ式の蝶番
【図１】
0003115721.tif 000003
【図２】
0003115721.tif 000004
【図３】
0003115721.tif 000005
【図４】
0003115721.tif 000006
【図５】
0003115721.tif 000007